(57)【要約】【課題】清掃装置の清掃能力の低下を防止して鮮明な画像を維持でき、小型化が可能な画像形成装置を提供することを目的とする。【解決手段】感光体を露光する露光手段から照射される光を感光体上に結像させる光学手段の光照射面を清掃する清掃手段を備え、清掃部材を光照射面に沿って往復移動させる際に、往復移動の一方向への移動時には光照射面と当接させ、逆方向への移動時には光照射面とは離隔させる。【選択図】      図１
2004191495.tif 000002
【特許請求の範囲】
【請求項１】
感光体と、
前記感光体を露光する露光手段と、
前記露光手段から照射される光を前記感光体上に結像させる光学手段と、
前記光学手段の光照射面を清掃する清掃手段とを備え、
前記清掃手段は、
前記光照射面に接離自在な清掃部材と、
前記清掃部材を前記光照射面に沿って往復移動させる移動手段と、
前記往復移動の一方向への移動時には前記清掃部材を前記光照射面と当接させ、逆方向への移動時には当該清掃部材を当該光照射面とは離隔させる接離手段と
を有することを特徴とする画像形成装置。
【請求項２】
前記移動手段は、前記清掃部材を前記光学手段の長手方向外部まで移動させることを特徴とする請求項１記載の画像形成装置。
【請求項３】
前記接離手段は、前記光学手段の画像領域外で離隔動作を行うことを特徴とする請求項１記載の画像形成装置。
【請求項４】
感光体を露光する露光手段と、
前記露光手段から照射される光を前記感光体上に結像させる光学手段と、
前記光学手段の光照射面を清掃する清掃手段とを備え、
前記清掃手段は、清掃部材を前記光照射面に沿って往復移動させ、当該往復移動の一方向への移動時には当該清掃部材を前記光照射面と当接させ、逆方向への移動時には当該清掃部材を当該光照射面とは離隔させることを特徴とするプリントヘッド。
【請求項５】
感光体を露光する露光手段と、
前記露光手段から照射される光を前記感光体上に結像させる光学手段と、
前記露光手段と前記光学手段とを支持するハウジングと、
前記光学手段の光照射面を清掃する清掃手段とを備え、
前記清掃手段は、清掃部材を前記光照射面に沿って往復移動させると共に、前記ハウジングの内部に配置されたことを特徴とするプリントヘッド。
【請求項６】
前記ハウジングは、板材を折り曲げ加工して形成したことを特徴とする請求項５記載のプリントヘッド。
【請求項７】
光を結像させる光学手段の光照射面に接離自在な清掃部材と、
前記清掃部材を前記光照射面に沿って往復移動させる移動手段と、
前記往復移動の一方向への移動時には前記清掃部材を前記光照射面と当接させ、逆方向への移動時には当該清掃部材を当該光照射面とは離隔させる接離手段と
を有することを特徴とする清掃装置。
【発明の詳細な説明】
【０００１】
【発明の属する技術分野】
本発明は、電子写真方式の複写機、プリンタ等の画像形成装置に関し、より詳しくは感光体を露光する部分の照射面を清掃する清掃装置を備えたプリントヘッドに関する。
【０００２】
【従来の技術】
電子写真方式を用いた複写機、プリンタ等の画像形成装置は、例えばドラム状に構成された感光体を一様に帯電し、この感光体を画像情報に基づいて制御された光で露光して感光体上に静電潜像を形成し、この静電潜像を現像剤（トナー）で可視像とし、さらにこの可視像を記録紙に転写し、これを定着することによって画像形成している。
近年画像形成装置の小型化を図るべく、露光手段としてＬＥＤを多数配列したＬＥＤアレイを用いたＬＥＤプリントヘッド（ＬＰＨ）が開発されている。このＬＰＨは現像器の近傍に配置されることから、ＬＥＤ照射面がトナーやほこり等のゴミで汚れ易い。そこで、かかる汚れにより生じる画像むらを防止するため、ＬＥＤ照射面を清掃する清掃装置が設けられる場合がある。
【０００３】
ここで、ＬＰＨのＬＥＤ照射面を清掃する従来技術として、記録部の記録プロセスに影響を与えないタイミングで露光器の照射面を清掃する技術が存在する（例えば、特許文献１参照）。また、帯電器の引き出しおよび収納時に清掃装置によって光束出射面を清掃する技術が存在する（例えば、特許文献２参照）。
【０００４】
【特許文献１】
特開平１１−３３８２２７号公報（第３−４頁、図３）
【特許文献２】
特開平５−２８６２０６号公報（第２−３頁、図３）
【０００５】
【発明が解決しようとする課題】
しかしながら、ＬＥＤ照射面の清掃を何度も繰り返すと、清掃装置にトナー等を含むゴミが蓄積されて清掃能力が低下し、画像むらが生じ易くなるという技術的課題がみられた。
また、清掃装置はＬＰＨの外側部に設ける必要があり、感光体周りに清掃装置のためのスペースを確保しなければならず、画像形成装置が大型化するという技術的課題もみられた。
【０００６】
なお、上記の特許文献１および特許文献２に記載された技術では、清掃装置の清掃能力の低下を防止するための有効な技術、さらに清掃装置の省スペース化を図る技術は開示されていない。
【０００７】
そこで本発明は、このような技術的課題に基づいてなされたものであり、その目的とするところは、清掃装置の清掃能力の低下を防止して鮮明な画像を維持でき、小型化が可能な画像形成装置を提供することにある。
【０００８】
【課題を解決するための手段】
かかる目的のもと、本発明の画像形成装置は、感光体と、感光体を露光する露光手段と、露光手段から照射される光を感光体上に結像させる光学手段と、光学手段の光照射面を清掃する清掃手段とを備え、清掃手段は、光照射面に接離自在な清掃部材と、清掃部材を光照射面に沿って往復移動させる移動手段と、往復移動の一方向への移動時には清掃部材を光照射面と当接させ、逆方向への移動時には清掃部材を光照射面とは離隔させる接離手段とを有することを特徴としている。
ここで、移動手段は、清掃部材を光学手段の長手方向外部まで移動させることを特徴とすることができる。さらに、接離手段は、光学手段の画像領域外で離隔動作を行うことを特徴とすることもできる。
【０００９】
また、本発明のプリントヘッドは、感光体を露光する露光手段と、露光手段から照射される光を感光体上に結像させる光学手段と、光学手段の光照射面を清掃する清掃手段とを備え、清掃手段は、清掃部材を光照射面に沿って往復移動させ、往復移動の一方向への移動時には清掃部材を光照射面と当接させ、逆方向への移動時には清掃部材を光照射面とは離隔させることを特徴としている。
【００１０】
さらに、本発明のプリントヘッドは、感光体を露光する露光手段と、露光手段から照射される光を感光体上に結像させる光学手段と、露光手段と光学手段とを支持するハウジングと、光学手段の光照射面を清掃する清掃手段とを備え、清掃手段は、清掃部材を光照射面に沿って往復移動させると共に、ハウジングの内部に配置されたことを特徴としている。ここで、ハウジングは、板材を折り曲げ加工して形成したことを特徴とすることができる。
【００１１】
また、本発明の清掃装置は、光を結像させる光学手段の光照射面に接離自在な清掃部材と、清掃部材を光照射面に沿って往復移動させる移動手段と、往復移動の一方向への移動時には清掃部材を光照射面と当接させ、逆方向への移動時には清掃部材を光照射面とは離隔させる接離手段とを有することを特徴としている。
【００１２】
【発明の実施の形態】
以下、添付図面に示す実施の形態に基づいて、本発明を詳細に説明する。
◎  実施の形態１
図１に示すものは、本実施の形態における画像形成装置を説明する図である。図１で示すように、画像形成装置１は、矢印Ａの方向に定速回転する感光体ドラム１０の周囲に、感光体ドラム１０上を一様に帯電する帯電ローラ１１、画像情報に基づいて制御された光を露光するＬＥＤプリントヘッド（ＬＰＨ）１２、感光体ドラム１０上に形成された潜像を現像する現像器１３、トナー像を記録紙２０に転写する転写ローラ１４、感光体ドラム１０上から転写残トナーを除去するクリーナ１５を備えている。
【００１３】
帯電ローラ１１は、導電性ゴムまたは導電性スポンジと導電性ゴムとを積層して構成され、電源（図示せず）に接続されて電圧が供給されている。そして感光体ドラム１０の表面を一定電圧で一様に帯電する。
ＬＰＨ１２は、ＬＰＨ駆動部２１と接続されている。そしてＬＰＨ１２は、ホストコンピュータ（ＨＯＳＴ）３０からの画像データに基づきＬＰＨ駆動部２１によって制御された光を照射し、感光体ドラム１０上に潜像を形成する。
【００１４】
現像器１３は、現像ハウジング２２、現像ローラ２３を備えている。現像ローラ２３は現像ハウジング２２内に貯蔵されたトナーを担持して、矢印Ｂ方向に回転しながら感光体ドラム１０にトナーを供給し、潜像を可視像化したトナー像を形成する。
転写ローラ１４は、導電性ゴムまたは導電性スポンジと導電性ゴムとを積層して構成され、電源（図示せず）に接続されて電圧が供給されている。そして給紙ローラ３１によって搬送されてきた記録紙２０上にトナー像を転写する。
【００１５】
定着器１６は、加熱ローラ１６Ａと加圧ローラ１６Ｂとからなる一対のローラで構成される。トナー像が転写された記録紙２０は定着器１６に搬送され、定着器１６を通過する際に、トナー像が記録紙２０に加熱定着される。
一方、クリーナ１５は、クリーニングブレード２４とクリーナハウジング２５で構成される。クリーニングブレード２４は感光体ドラム１０の回転方向Ａとはカウンター方向に当接され、転写の際に感光体ドラム１０上に残った転写残トナーを掻き取り、クリーナハウジング２５に貯蔵する。
【００１６】
次に、本実施の形態におけるＬＰＨ１２について詳細に説明する。
図２はＬＰＨ１２の構成を示す断面図である。図２において、ＬＰＨ１２は、支持体としてのＬＰＨハウジング４０、画像情報に基づいて制御された光を照射するＬＥＤアレイ４１、ＬＥＤアレイ４１からの光を感光体ドラム１０表面に結像させるセルフォックレンズアレイ（ＳＬＡ）４２、ＳＬＡ４２のＬＥＤ照射面４５を清掃する清掃装置４３を備えている。ＬＰＨハウジング４０は、アルミニウム、ＳＵＳ等のブロックまたは板金で形成され、ＬＥＤアレイ４１およびＳＬＡ４２をＬＥＤアレイ４１の発光点とＳＬＡ４２の焦点とが一致するように支持している。そしてＬＰＨハウジング４０は、調整ピン４４によってＳＬＡ４２の光軸方向に移動可能に構成され、ＳＬＡ４２の結像位置（焦点）が感光体ドラム１０表面上に位置するように調整される。
【００１７】
ここで、ＬＰＨ１２の清掃装置４３について説明する。図３はＬＰＨ１２の清掃装置４３の構成を説明する斜視図である。図３に示すように、清掃装置４３は、支持体としてＬＰＨ１２の外側部に固定される支持部材５０、支持部材５０の長手方向に設けられたレール部５１、支持部材５０の長手方向に伸びた清掃棒５２、ＬＥＤ照射面４５を清掃する清掃部５３、清掃棒５２を支持する清掃棒支持部材５４を備えている。
【００１８】
支持部材５０は、ＬＰＨハウジング４０の外側部にＬＰＨハウジング４０とは平行に配置されている。また支持部材５０に設けたレール部５１は、ＬＥＤ照射面４５と平行に配置されている。さらに清掃棒５２は、一方を支持部材５０に支持された清掃棒支持部材５４でスライド可能に支持され、他方をレール部５１にスライド可能に支持された清掃部５３と連結されている。そして清掃棒５２と清掃部５３とは一体となってレール部５１に沿って移動可能に構成され、清掃棒５２に伴って清掃部５３はＬＥＤ照射面４５の画像領域を含んだ一定の範囲を往復移動することが可能である。
【００１９】
次に、清掃装置４３の清掃部５３について説明する。図４は清掃部５３の構成を説明する図である。図４に示すように、清掃部５３は、支持体としてのサポート部材６０、清掃部材６８をＬＥＤ照射面４５に接離自在に揺動させる揺動部材６１、揺動部材６１を支持すると共に揺動部材６１の揺動中心となる支持軸６２を備えている。そしてサポート部材６０と揺動部材６１とは支持軸６２を介して結合されている。
【００２０】
サポート部材６０は、サポート部材６０の支持部材５０側側面に設けられたピン（図示せず）が支持部材５０のレール部５１にスライド自在に挿入され、ピンに嵌合した留め部材６７によってレール部５１から外れることなく支持されている。
揺動部材６１は、清掃部５３のスライド方向（矢印Ｃ）に対して直行する平面における断面が略「Ｌ」字形状からなり、支持軸６２を中心として清掃部５３のスライド方向に揺動可能に構成されている。また揺動部材６１は、支持軸６２とは略平行に突き出た面６１ａにフェルト（不織布）からなる清掃部材６８が配置されている。さらに揺動部材６１は、支持軸６２を挟んで清掃部材６８とは反対側の端部は清掃棒５２と連結されている。そして清掃棒５２をスライド方向に押し出す際（矢印Ｅ）、または引き込む際（矢印Ｄ）に清掃部材６８は清掃棒５２のスライド方向に揺動する。
【００２１】
ここで、揺動部材６１には清掃棒５２との連結部近傍に凸部６３が設けられ、凸部６３はサポート部材６０に設けた略Ｕ字形の切り欠き部６５に位置している。また、揺動部材６１の支持軸６２に対して清掃部材６８側には切り欠き部６４が設けられている。そのため、清掃棒５２を図面右方向（矢印Ｄ）に移動させる場合には凸部６３がサポート部材切り欠き部６５端部に突き当たり、清掃棒５２を図面左方向（矢印Ｅ）に移動させる場合には揺動部材切り欠き部６４がサポート部材６０に設けた湾曲部６６に突き当たることで揺動部材６１の揺動範囲が制限されている。
【００２２】
さらに、凸部６３がサポート部材切り欠き部６５端部に突き当たった状態では清掃部材６８はＬＥＤ照射面４５と当接するように構成され、揺動部材切り欠き部６４がサポート部材６０の湾曲部６６に突き当たる状態ではＬＥＤ照射面４５とは離隔するように構成されている。
【００２３】
すなわち、清掃棒５２を図面右方向（矢印Ｄ）に移動させる場合には、凸部６３がサポート部材切り欠き部６５端部に突き当たるまで揺動部材６１を揺動して、清掃部材６８がＳＬＡ４２のＬＥＤ照射面４５に当接する。そして清掃棒５２の移動に伴ってＬＥＤ照射面４５を当接して移動するように構成されている。
他方、清掃棒５２を図面左方向（矢印Ｅ）に移動させる場合には、揺動部材切り欠き部６４がサポート部材６０の湾曲部６６に突き当たるまで揺動して、清掃部材６８がＳＬＡ４２のＬＥＤ照射面４５とは離隔した状態となる。そして清掃棒５２の移動に伴ってＬＥＤ照射面４５とは離隔した状態のまま移動するように構成されている。
【００２４】
ここで、清掃部材６８がＬＥＤ照射面４５を当接して移動する場合と、離隔した状態のまま移動する場合とを説明する。図５では、図５（ａ）は清掃部５３が図面右方向に移動する場合を示し、図５（ｂ）は清掃部５３が図面左方向に移動する場合を示している。
図５に示した構成では、図５（ａ）に示したように、清掃部５３が図面右方向に移動する場合は、清掃棒５２が図面右方向に引かれるのに伴って凸部６３が揺動部材６１を揺動させる。この場合には、揺動部材６１は揺動部材６１の左上面６１ｂがサポート部材６０に設けた段差面６０ａに突き当たるまで揺動し、清掃部材６８をＬＥＤ照射面４５に当接させる。そして清掃部５３は、清掃部材６８がＬＥＤ照射面４５に当接された状態を維持したまま、レール部５１に沿ってスライドし、清掃部材６８がＬＥＤ照射面４５を清掃する。
【００２５】
また、図５（ｂ）に示したように、清掃部５３が図面左方向に移動する場合は、清掃棒５２が図面左方向に押されるのに伴って凸部６３が揺動部材６１を揺動させる。この場合には、揺動部材６１は揺動部材６１の右上面６１ｃがサポート部材６０に設けた段差面６０ａに突き当たるまで揺動し、清掃部材６８をＬＥＤ照射面４５から離隔させる。そして清掃部５３は、清掃部材６８がＬＥＤ照射面４５から離隔された状態を維持したまま、レール部５１に沿ってスライドし、清掃部材６８はＬＥＤ照射面４５を清掃することはない。
【００２６】
次に、清掃部材６８がＬＥＤ照射面４５を清掃する際のゴミの残存状態を説明する。図６は清掃部材６８がＬＥＤ照射面４５を清掃する際のゴミの残存状態を比較する模式図である。図６（ａ）は清掃部材６８が往路（図面左方向）および復路（図面右方向）双方においてＬＥＤ照射面４５に当接移動する場合に対して、図６（ｂ）は本実施の形態の場合であり、清掃部材６８が往路ではＬＥＤ照射面４５に当接移動し、復路ではＬＥＤ照射面４５から離隔して移動する場合を表している。
【００２７】
図６（ａ）に示すように、清掃部材６８がＬＥＤ照射面４５に当接しながら往路を移動し、ＬＥＤ照射面４５上のゴミを画像領域外に拭き出すが（▲１▼）、復路でも清掃部材６８がＬＥＤ照射面４５に当接しながら移動するために蓄積したゴミが清掃部材６８と一緒に引き戻され（▲２▼）、再度ＬＥＤ照射面４５を汚すことになる（▲３▼）。このような現象は、清掃動作を何度も繰り返すことによって顕著に現れる。
【００２８】
これに対し、本実施の形態では、図６（ｂ）に示すように、往路でＬＥＤ照射面４５上のゴミを画像領域外に拭き出した後（▲１▼）、復路では清掃部材６８をＬＥＤ照射面４５に離隔した状態で移動させるので、蓄積したゴミは清掃部材６８と一緒に引き戻されることがなく（▲２▼）、ＬＥＤ照射面４５を再度汚すことはない（▲３▼）。特に、清掃部材６８をＳＬＡ４２の長手方向外部まで移動可能とすることによって、清掃部材６８に蓄積したゴミをＳＬＡ４２上から排除することによって、清掃部材６８へのゴミの蓄積を極力防止することができる。
【００２９】
なお、清掃部材６８をＬＥＤ照射面４５に当接させ、または離隔させる動作は、清掃部材６８が画像領域の範囲外に位置している状態で行う。特に、清掃部材６８をＬＥＤ照射面４５から離隔させる場合には、清掃部材６８に蓄積したゴミがＬＥＤ照射面４５に残存する可能性が高いため、清掃部材６８が画像領域の範囲外に位置している状態で行うことが必要である。
【００３０】
また、本実施の形態では、清掃部材６８がＬＥＤ照射面４５と接離させる手段として機械的な機構を用いたが、電磁的な機構を用いて接離させることもできる。
さらに、清掃部５３の移動は清掃棒５２により手動で行ったが、電気的な駆動手段を用いることができる。
【００３１】
◎  実施の形態２
実施の形態１では、感光体ドラム１０の上方にＬＰＨ１２を配置した構成をとる画像形成装置１について説明した。実施の形態２では、感光体ドラム１０の下方にＬＰＨ１２を配置した構成をとる画像形成装置１について説明する。尚、実施の形態１と同様な構成については同様な符号を用い、ここではその詳細な説明を省略する。
図７に示すものは、本実施の形態における画像形成装置を説明する図である。図７で示すように、画像形成装置１は、矢印Ｆの方向に定速回転する感光体ドラム１０の周囲に、帯電ローラ１１、ＬＰＨ１２、現像器１３、クリーナ１５を備えているが、ＬＰＨ１２は感光体ドラム１０の下方に配置されている。
【００３２】
次に、本実施の形態におけるＬＰＨ１２について説明する。図８は本実施の形態におけるＬＰＨ１２の構成を示す断面図である。図８において、ＬＰＨ１２は、ＬＰＨハウジング４０、ＬＥＤアレイ４１、ＳＬＡ４２、清掃装置４３を備えている点については、実施の形態１におけるＬＰＨ１２と同様である。
本実施の形態では、ＬＰＨハウジング４０は例えばアルミニウム等の板金で形成され、ハウジング本体部７１と、ＬＥＤアレイ４１を保持するＬＥＤアレイ保持部７２と、ＳＬＡ４２を保持するレンズ保持部７３とが折り曲げ加工により一体に連設して構成されている。なお、ＬＥＤアレイ保持部７２とレンズ保持部７３とは、ＬＥＤアレイ４１の発光点とＳＬＡ４２の焦点とが一致して位置するように構成されている。
【００３３】
ここで、図９はＬＰＨ１２の分解斜視図である。図９に示すように、ハウジング本体部７１はＬＥＤアレイ保持部７２を一辺とした「コ」字形状に折り曲げ加工されている。このように折り曲げ加工することで、ＬＰＨハウジング４０のＳＬＡ４２の光軸方向に対する耐振動強度を高めることができるために、振動によって画像の鮮明度が低下するのを防止できると同時に、安価に製造することが可能となる。
【００３４】
ＬＰＨハウジング４０は、ハウジング本体部７１の「コ」字形状の内部空間に、清掃装置４３の主要部を配置し、揺動部材６１のみがＬＰＨハウジング４０の外側部に配置されている。すなわち、清掃装置４３は、レール部５１が設けられた支持部材５０と、清掃棒５２と、清掃棒担持部材（図示せず）と、清掃部材６８を設けた揺動部材６１を除く清掃部５３とがハウジング本体部７１の内部に格納されている。このように構成することによってＬＰＨ１２を小型に構成することができ、感光体ドラム１０周りの限られた空間にＬＰＨ１２を配置できることから、画像形成装置１の小型化が容易となる。
【００３５】
本実施の形態においても、清掃部材６８を一方向に移動させる場合には、清掃部材６８がＳＬＡ４２のＬＥＤ照射面４５に当接して移動し、清掃部材６８をその逆方向に移動させる場合には、清掃部材６８がＳＬＡ４２のＬＥＤ照射面４５とは離隔した状態のまま移動するように構成されている。
【００３６】
本実施の形態における、清掃部材６８がＬＥＤ照射面４５を当接して移動する場合と、離隔した状態のまま移動する場合とを説明する。図１０では、図１０（ａ）は清掃部５３が図面右方向に移動する場合を示し、図１０（ｂ）は清掃部５３が図面左方向に移動する場合を示している。
図１０に示した構成では、図１０（ａ）に示したように、清掃部５３が図面右方向に移動する場合は、清掃棒５２が図面右方向に押されるのに伴って凸部６３が揺動部材６１を揺動させる。この場合には、揺動部材６１は揺動部材６１の左下面６１ｂがサポート部材６０に設けた段差面６０ａに突き当たるまで揺動し、清掃部材６８をＬＥＤ照射面４５に当接させる。そして清掃部５３は、清掃部材６８がＬＥＤ照射面４５に当接された状態を維持したまま、レール部５１に沿ってスライドし、清掃部材６８がＬＥＤ照射面４５を清掃する。
【００３７】
また、図１０（ｂ）に示したように、清掃部５３が図面左方向に移動する場合は、清掃棒５２が図面左方向に引かれるのに伴って凸部６３が揺動部材６１を揺動させる。この場合には、揺動部材６１は揺動部材６１の右下面６１ｃがサポート部材６０に設けた段差面６０ａに突き当たるまで揺動し、清掃部材６８をＬＥＤ照射面４５から離隔させる。そして清掃部５３は、清掃部材６８がＬＥＤ照射面４５から離隔された状態を維持したまま、レール部５１に沿ってスライドするが、清掃部材６８はＬＥＤ照射面４５を清掃することはない。
【００３８】
本実施の形態では、ＬＰＨ１２は感光体ドラム１０の下方に配置されているため、ＬＥＤ照射面４５が上方を向いて設置される。また現像器１３がＬＰＨ１２よりも上方に位置する。そのため、現像器１３から落下するトナー等によりＬＥＤ照射面４５に付着するゴミも多くなる。そこで、清掃部材６８を一方向に移動させる場合には、清掃部材６８がＳＬＡ４２のＬＥＤ照射面４５に当接して移動し、清掃部材６８をその逆方向に移動させる場合には、清掃部材６８がＳＬＡ４２のＬＥＤ照射面４５とは離隔した状態のまま移動するように構成することで、清掃装置４３の清掃能力の低下を防止する効果は大きい。
【００３９】
【発明の効果】
以上説明したように、本発明によれば、清掃装置の清掃能力の低下を防止して鮮明な画像を維持でき、小型化が可能な画像形成装置を提供することが可能となる。
【図面の簡単な説明】
【図１】実施の形態１における画像形成装置を説明する概略断面図である。
【図２】ＬＰＨの構成を示す断面図である。
【図３】ＬＰＨの清掃装置の構成を説明する斜視図である。
【図４】清掃部の構成を説明する斜視図である。
【図５】清掃部材がＬＥＤ照射面に接離する状態を説明する正面図である。
【図６】清掃部材がＬＥＤ照射面を清掃する際のゴミの残存状態を比較する模式図である。
【図７】実施の形態２における画像形成装置を説明する断面図である。
【図８】ＬＰＨの構成を示す断面図である。
【図９】ＬＰＨの分解斜視図である。
【図１０】清掃部材がＬＥＤ照射面に接離する状態を説明する正面図である。
【符号の説明】
１…画像形成装置、１０…感光体ドラム、１１…帯電ローラ、１２…ＬＰＨ、１３…現像器、１４…転写ローラ、１５…クリーナ、１６…定着器、１６Ａ…加熱ローラ、１６Ｂ…加圧ローラ、２０…記録紙、２１…ＬＰＨ駆動部、２２…現像ハウジング、２３…現像ローラ、２４…クリーニングブレード、２５…クリーナハウジング、３０…ホストコンピュータ（ＨＯＳＴ）、３１…給紙ローラ、４０…ＬＰＨハウジング、４１…ＬＥＤアレイ、４２…セルフォックレンズアレイ（ＳＬＡ）、４３…清掃装置、４４…調整ピン、４５…ＬＥＤ照射面、５０…支持部材、５１…レール部、５２…清掃棒、５３…清掃部、５４…清掃棒支持部材、６０…サポート部材、６１…揺動部材、６２…支持軸、６３…凸部、６４…揺動部材切り欠き部、６５…サポート部材切り欠き部、６６…湾曲部、６７…留め部材、６８…清掃部材、７１…ハウジング本体部、７２…ＬＥＤアレイ保持部、７３…レンズ保持部
【図１】
2004191495.tif 000003
【図２】
2004191495.tif 000004
【図３】
2004191495.tif 000005
【図４】
2004191495.tif 000006
【図５】
2004191495.tif 000007
【図６】
2004191495.tif 000008
【図７】
2004191495.tif 000009
【図８】
2004191495.tif 000010
【図９】
2004191495.tif 000011
【図１０】
2004191495.tif 000012